(57)【要約】【課題】作業者一人で容易に装着できる作業台カバーを提供する。【解決手段】作業台カバー５０は、作業台４０の上部開口部、上端突出部およびアーム側接続部４３を覆うカバー本体５１と、カバー本体５１により上部開口部、上端突出部およびアーム側接続部４３が覆われた状態で巻き付けられるバンド本体６１と、バンド本体６１の一端部に取り付けられるとともにバンド本体６１の他端部を掛止するバックルとを有して構成される。【選択図】図４
2014105085.tif 000002
【特許請求の範囲】
【請求項１】
車体上に昇降駆動自在に設けられた昇降機構と、前記昇降機構の先端部に設けられた作
業者搭乗用の作業台とを備えて構成される高所作業車において用いられる作業台カバーで
あって、
前記作業台が、有底箱状に形成されて略矩形状の上部開口部を有する構成であり、
前記作業台の上部開口部および上縁周囲部を覆うカバー本体部材と、
前記カバー本体部材により前記上部開口部および前記上縁周囲部が覆われた状態で前記
カバー本体部材における前記上縁周囲部を覆う部分に巻き付けられて、前記作業台に前記
カバー本体部材を締着させる長尺状のバンド部材と、
前記バンド部材の一端側に取り付けられるとともに前記バンド部材の他端側を掛止する
掛止部材とを有して構成されたことを特徴とする作業台カバー。
【請求項２】
前記作業台の上縁周囲部には、前記昇降機構の先端部に接続される接続基端部が形成さ
れており、
前記接続基端部は、側面視において、前記上縁周囲部における前記接続基端部とは反対
側に形成された反対側先端部よりも大きな上下寸法を有して形成されたことを特徴とする
請求項１に記載の作業台カバー。
【請求項３】
前記バンド部材の他端側に、前記カバー本体部材により前記上部開口部および前記上縁
周囲部を覆った状態で前記カバー本体部材における前記上縁周囲部を覆う部分に前記バン
ド部材を巻き付けて前記他端側を前記掛止部材に掛止させたときに、前記掛止部材近傍に
位置して所定締付量で前記バンド部材が巻き付けられたことを示す締付マークが形成され
たことを特徴とする請求項１または２に記載の作業台カバー。
【発明の詳細な説明】
【技術分野】
【０００１】
本発明は、有底箱状に形成されて、高所作業車の昇降機構の先端部に配設された作業台
に装着される作業台カバーに関する。
【背景技術】
【０００２】
作業台を所望高所に移動させて高所作業を行う高所作業車の一例として、走行可能な車
体に、旋回動、起伏動および伸縮動が自在に設けられたブームの先端部に作業台が配設さ
れた高所作業車が知られている。この高所作業車は、作業台に搭乗した作業者がブームを
旋回動、起伏動および伸縮動させる操作を行って作業台を所望高所に移動させて、高所作
業を行うことができるようになっている。高所作業が終了するとブームを倒伏および縮小
させ、ブームおよび作業台を車体上に設けられたブーム受けおよび作業台受けに格納させ
た状態で保持される。高所作業車は屋外に駐車して保管されることも多く、このときに、
作業台内部に塵や雨水が入らないように、作業台の上部開口部を覆う作業台カバーが装着
される。
【０００３】
この作業台カバーの従来例として、特許文献１には、バケット（作業台）の上部に装着
されて開口全体を覆うカバー本体と、バケットの下部に装着されるジャケットと、カバー
本体とジャケットとを繋ぐ固定バンドとを備えて構成されるバケットカバーが開示されて
いる。また、特許文献２には、作業台の上部開口面全体を覆うカバー本体と、カバー本体
を作業台に固定するための固定バンドとを備え、カバー本体を作業台の上部開口面に被せ
るとともに固定バンドを作業台の下部に掛け回して取り付けられる作業台カバーが開示さ
れている。
【先行技術文献】
【特許文献】
【０００４】
【特許文献１】特開２００９−１４９４３１号公報
【特許文献２】特開平１０−１７２８８号公報
【発明の概要】
【発明が解決しようとする課題】
【０００５】
しかしながら、格納された作業台に作業台カバーを装着する作業は、通常、作業者が車
体上に乗って一人で行なうため、作業台カバーを容易に装着することが難しいという課題
があった。
【０００６】
本発明は、このような課題に鑑みてなされたものであり、作業者一人で容易に装着でき
る作業台カバーを提供することを目的とする。
【課題を解決するための手段】
【０００７】
このような目的達成のため、本発明に係る作業台カバーは、車体上に昇降駆動自在に設
けられた昇降機構（例えば、実施形態におけるブーム１２）と、前記昇降機構の先端部に
設けられた作業者搭乗用の作業台とを備えて構成される高所作業車において用いられる作
業台カバーであって、前記作業台が、有底箱状に形成されて略矩形状の上部開口部を有す
る構成であり、前記作業台の上部開口部および上縁周囲部（例えば、実施形態における上
端突出部４１ａ、アーム側接続部４３）を覆うカバー本体部材（例えば、実施形態におけ
るカバー本体５１）と、前記カバー本体部材により前記上部開口部および前記上縁周囲部
が覆われた状態で前記カバー本体部材における前記上縁周囲部を覆う部分に巻き付けられ
て、前記作業台に前記カバー本体部材を締着させる長尺状のバンド部材（例えば、実施形
態におけるバンド本体６１）と、前記バンド部材の一端側に取り付けられるとともに前記
バンド部材の他端側を掛止する掛止部材（例えば、実施形態におけるバックル６５）とを
有して構成されたことを特徴とする。
【０００８】
なお、前記作業台の上縁周囲部には、前記昇降機構の先端部に接続される接続基端部（
例えば、実施形態におけるアーム側接続部４３）が形成されており、前記接続基端部は、
側面視において、前記上縁周囲部における前記接続基端部とは反対側に形成された反対側
先端部（例えば、実施形態における上端突出部４１ａ）よりも大きな上下寸法を有して形
成された構成が好ましい。
【０００９】
また、前記バンド部材の他端側に、前記カバー本体部材により前記上部開口部および前
記上縁周囲部を覆った状態で前記カバー本体部材における前記上縁周囲部を覆う部分に前
記バンド部材を巻き付けて前記他端側を前記掛止部材に掛止させたときに、前記掛止部材
近傍に位置して所定締付量で前記バンド部材が巻き付けられたことを示す締付マークが形
成された構成が好ましい。
【発明の効果】
【００１０】
本発明に係る作業台カバーは、カバー本体部材と、作業台にカバー本体部材を締着させ
るバンド部材と、バンド部材の他端側を掛止する掛止部材とを有して構成される。このた
め、作業台に作業台カバーを装着するときには、作業台に作業台カバーを被せて、作業台
の上縁周囲部に引っ掛かるようにバンド部材を巻き付け、このバンド部材の他端側を掛止
部材により掛止すれば、作業台に作業台カバーを装着することができる。この装着作業に
おいては、例えば作業台の下面にバンドを巻き付ける等の必要がないため、作業者が一人
で容易に作業台カバーを作業台に装着することができる。
【００１１】
なお、接続基端部は、側面視において、接続基端部とは反対側に形成された反対側先端
部よりも大きな上下寸法を有して形成された構成が好ましい。このように構成した上で、
例えば接続基端部を前方に位置させて作業台を格納するようにすれば、上下に延びて形成
された接続基端部を包み込むように（大きな引っ掛かり代で）カバー本体部材が被せられ
るので、仮に走行中にバンド部材が緩んでも作業台から作業台カバーが外れるのを防止で
きる。また、例えば接続基端部および反対側先端部の形状に合わせてカバー本体部材を形
成すれば、作業台カバーを作業台に被せるときの作業台カバーの正しい被せ方向を容易に
把握でき、装着作業が容易になる。
【００１２】
また、バンド部材の他端側に、上部開口部および上縁周囲部を適切に覆った状態でバン
ド部材を巻き付けて掛止させたときに、掛止部材近傍に位置して上部開口部および上縁周
囲部が適切に覆われたことを示す締付マークが形成されている。このため、掛止部材に対
する締付マークの位置を確認するだけで、作業台カバーが適切に装着されているか否かを
確認することができるので、作業者一人で容易に作業台カバーを作業台に装着することが
できる。
【図面の簡単な説明】
【００１３】
【図１】本発明に係る作業台カバーが装着される作業台を備えた高所作業車の側面図を示す。
【図２】上記高所作業車の平面図を示す。
【図３】上記高所作業車の背面図を示す。
【図４】ブームの先端部および格納状態の作業台を示す斜視図である。
【図５】（ａ）は作業台カバーが装着される前の作業台を示す平面図であり、（ｂ）は作業台カバーが装着された作業台を示す側面図である。
【図６】締着ベルトのバックル近傍を示す斜視図である。
【図７】一部のカバー本体がめくれ上がったまま締着ベルトが締め付けられた状態を示す斜視図である。
【図８】作業台カバーが装着された作業台の側面図であって、（ａ）はカバー本体によって作業台が適切に覆われた状態を、（ｂ）および（ｃ）はカバー本体によって作業台が適切に覆われていない状態をそれぞれ示す。
【図９】本発明に係る作業台カバーが装着される別の作業台を備えた高所作業車の側面図を示す。
【図１０】上記高所作業車の平面図を示す。
【図１１】上記高所作業車の背面図を示す。
【図１２】（ａ）は作業台カバーが装着される前の作業台を示す平面図であり、（ｂ）は作業台カバーが装着された作業台を示す側面図である。
【発明を実施するための形態】
【００１４】
以下、図面を参照しながら本発明の実施形態について説明する。本発明に係る作業台カ
バーについて説明をする前に、図１〜図５を参照しながら、本発明に係る作業台カバーが
装着される作業台を備える高所作業車１の構成について説明する。
【００１５】
図１には高所作業車１を左側方から見た側面図を示しており、この図１から分かるよう
に、高所作業車１は、前後左右にタイヤ車輪２を有して走行可能であり、前部に運転キャ
ブ３を有したトラック車両をベースに構成される。このトラック車両の車体４上に、図示
しない油圧式の旋回モータにより駆動されて上下軸周りに水平旋回可能に構成された旋回
台１１が配設される。この旋回台１１に基端部が枢結されてブーム１２が取り付けられて
おり、このブーム１２は、旋回台１１とブーム１２とに跨って設けられた油圧式の起伏シ
リンダ１３により起伏動される。ブーム１２は、複数のブーム部材により入れ子式に構成
され、図示しない油圧式の伸縮シリンダにより伸縮動される。また、旋回台１１とブーム
１２との間には、油圧式の下部レベリングシリンダ１４が配設される。車体４上には、倒
伏したブーム１２の下面に当接してブーム１２を格納支持するブーム受け６が設けられて
いる。
【００１６】
図４にはブーム１２先端部の斜視図を示しており、この図４に示すように、ブーム１２
は先端部にブームヘッド１５を有し、このブームヘッド１５に垂直ポスト部材１６が上下
に揺動可能に取り付けられている（図１も参照。図４においては、垂直ポスト部材１６の
図示を省略）。ブームヘッド１５と垂直ポスト部材１６との間には、図示しない油路を介
して下部レベリングシリンダ１４に接続された油圧式の上部レベリングシリンダ１７が配
設されている。垂直ポスト部材１６は、上部レベリングシリンダ１７によりブーム１２の
起伏の如何に拘らず常に垂直に延びて位置するように揺動制御される。
【００１７】
この垂直ポスト部材１６に、垂直ポスト部材１６を中心に水平旋回自在なアーム３０と
、アーム３０を介して垂直ポスト部材１６と接続された作業台４０とから構成される作業
装置２０が設けられている。アーム３０は、図４に示すように、垂直ポスト部材１６と作
業台４０とを繋ぐアーム本体３１と、アーム本体３１に取り付けられて垂直ポスト部材１
６に対してアーム本体３１を水平旋回させる油圧式のアーム旋回モータ３２と、アーム本
体３１の端部に上下に延びて設けられた軸部材３３とを備えて構成される。
【００１８】
図５（ａ）には作業台４０の平面図を、図５（ｂ）には作業台４０の側面図をそれぞれ
示しており、これらの図から分かるように、作業台４０は、全体として有底箱状に形成さ
れており、上部に略矩形状の上部開口部４２を有する作業台本体４１と、平面視略三角形
に形成されてアーム本体３１と接続されるアーム側接続部４３と、作業台本体４１とアー
ム側接続部４３との間に設けられた操作装置４４とを備えて構成される。なお、図４およ
び図５（ｂ）には、後述する作業台カバー５０（ハッチング部）が装着された作業台４０
を示している。
【００１９】
作業台本体４１は、ポリエチレンやＦＲＰ等の絶縁性を有した材料を用いて、作業者が
搭乗可能な床面積を有して構成される。作業台本体４１の上端周縁部には、外方に向けて
突出する上端突出部４１ａが形成されている。アーム側接続部４３は、作業台本体４１の
上部がアーム３０側に突出して形成されており、アーム３０に対して作業台４０を首振り
させる油圧式の首振りモータ４５を備える。また、アーム側接続部４３は、図５（ｂ）に
示すように、側面視において上下高さがＨ２に形成されており、アーム側接続部４３とは
反対側に形成された上端突出部４１ａの上下高さＨ１よりも大きくなるように形成されて
いる。操作装置４４は、旋回台１１の旋回動、ブーム１２の起伏動および伸縮動、垂直ポ
スト部材１６に対するアーム３０の水平旋回動、並びにアーム３０に対する作業台４０の
水平旋回動をさせる操作を行う操作レバー等を備えて構成される。なお、車体４上には、
作業台４０の下面に当接して作業台４０を格納支持する作業台受け７や、作業台４０に乗
り降りする際に使用するステップ８が設けられている。
【００２０】
以上ここまで、高所作業車１の構成について説明した。次に、このように構成される高
所作業車１の作動について、高所作業を行う場合を例示して説明する。
【００２１】
高所作業車１を用いて高所作業を行う場合には、まず、ブーム１２および作業台４０を
格納支持させた状態で走行させて作業現場に向かう。作業現場に到着すると作業者はステ
ップ８を利用して作業台４０に乗り込み、作業台４０の操作装置４４を操作して作業台４
０を所望高所に移動させる。このとき、上述したように高所作業車１は、アーム３０に対
して作業台４０を首振り作動させることができるように構成されているため、例えば電柱
の反対側に作業台４０を回り込ませるような移動が容易に行える。そして、高所作業が終
了すると、ブーム１２を全縮状態にするとともに作業台４０をブーム１２の側面に沿って
位置するように水平旋回および首振りさせ、この状態でブーム１２を倒伏させる。このよ
うにして、ブーム１２をブーム受け６に、作業台４０を作業台受け７にそれぞれ格納支持
させる。
【００２２】
以上、高所作業車１の作動について説明した。ところで、例えば高所作業車を屋外に保
管するときに、格納支持された作業台４０の上部開口部４２から作業台４０内に塵や雨水
等が入り込む虞がある。そこで、格納支持された作業台４０に作業台カバー５０を装着し
て、作業台４０内に塵や雨水等が入り込むことを防止できるようにしている。以下におい
ては、この作業台カバー５０の構成について説明する。
【００２３】
作業台カバー５０は、図４および図５（ｂ）に示すように、作業台４０の上部開口部４
２全体を覆うように形成されたカバー本体５１と、このカバー本体５１の周縁に沿って配
設された締着バンド６０とを備えて構成される。
【００２４】
カバー本体５１は、防水性を備えた素材を用いてシート状に形成され、折り畳み保管可
能である。カバー本体５１は展開して使用され、展開時に、作業台４０の上部開口部４２
全体を覆う上面部５２と、上面部５２の端部から下方に延びて形成された周縁部５３とか
ら構成される。周縁部５３の下側縁部には、複数のバンド通し５４が縫いつけられており
、このバンド通し５４に締着バンド６０が通されて締着バンド６０がカバー本体５１に取
り付けられている。作業台カバー５０を作業台４０に被せたときに、締着バンド６０が上
端突出部４１ａおよびアーム側接続部４３の下方に位置するように、周縁部５３にバンド
通し５４が縫いつけられている。作業台４０への作業台カバー５０の着脱を容易にするた
め、カバー本体５１は、柔らかい素材を用いて形成されることが好ましい。
【００２５】
図６には締着バンド６０のバックル６５近傍を示しており、この図６から分かるように
、締着バンド６０は、例えばナイロン繊維等のほとんど伸縮しない素材を用いて長尺状に
形成され、作業台４０を一周して巻き付け可能な長さを有するバンド本体６１と、このバ
ンド本体６１の一端部６２に取り付けられたバックル６５とを備えて構成される。
【００２６】
バンド本体６１の他端部６３は、例えばバンド本体６１における他の部分とは色を異な
らせることで視認可能に形成された締付マーク６４を備える（図６のハッチング部を参照
）。締付マーク６４の形成位置について具体的に説明すると、上部開口部４２全体に上面
部５２が被せられ、且つ上端突出部４１ａおよびアーム側接続部４３の下方に締着バンド
６０が位置するように周縁部５３が被せられた状態（以下、この状態を「適切な被せ状態
」と称する）で締着バンド６０が締め付けられたとき、他端部６３におけるバックル６５
近傍に位置する部分に形成されている。このため、締着バンド６０を締め付けたときのバ
ックル６５に対する締付マーク６４の位置を確認すれば、作業台４０に対する作業台カバ
ー５０の被せ状態が適切か否かを簡単に把握することができる（詳しくは後述）。なお、
特許請求の範囲における「所定締付量」とは、適切な被せ状態で締着バンド６０を締め付
けたときの締付量を意味する。
【００２７】
バックル６５は、平板状に形成されて揺動軸６６を中心として矢印Ａの方向に揺動自在
に配設された掛止板６７と、掛止板６７の先端部６７ａ側に形成された支持部６８と、支
持部６８とは反対側端部に形成されてバンド本体６１の一端部６２が取り付けられるバン
ド取付部６９とを備えて構成される。掛止板６７は、揺動軸６６に取り付けられたつる巻
きばね（図示せず）により、先端部６７ａが支持部６８に押し付けられるように付勢され
ている。このため、先端部６７ａと支持部６８との間にバンド本体６１の他端部６３を通
すと、先端部６７ａによって他端部６３が支持部６８に押し付けられて掛止される。なお
、図６は、作業台４０に作業台カバー５０を適切な被せ状態で被せた上で締着バンド６０
を締め付けて、締付マーク６４部分が先端部６７ａと支持部６８とによって挟持された例
を示している。
【００２８】
図５（ａ）には作業台４０に作業台カバー５０を装着したときの締着バンド６０を点線
で示しており、図５（ａ）に示すように、バックル６５が上面部５２（作業台４０）の隅
に位置するとともに、他端部６３がバックル６５近傍に引き出されている。また、図２に
示すように格納支持された作業台４０に作業台カバー５０を装着するときに、バックル６
５はステップ８側に位置するので、作業者はステップ８上に乗ったままで締着バンド６０
の締め付け作業を簡単に行うことができる。
【００２９】
以上ここまでは、作業台カバー５０の構成について説明した。次に、作業台４０に作業
台カバー５０を装着する手順について説明する。
【００３０】
まず、図４および図５（ｂ）に示すように、作業台４０の上部開口部４２に上面部５２
を被せ、上端突出部４１ａおよびアーム側接続部４３に周縁部５３を被せるように、作業
台カバー５０を作業台４０に被せる。次に、締着バンド６０の他端部６３を、先端部６７
ａと支持部６８との間に通して手前側に引っ張り、バックル６５に掛止させる。このとき
、作業台カバー５０が適切な被せ状態で作業台４０に被せられていれば、締着バンド６０
を締め付けたときに締付マーク６４がバックル６５の近傍に位置するはずである。そこで
、作業者は、バックル６５に対する締付マーク６４の位置を確認し、締付マーク６４がバ
ックル６５近傍に位置して（例えば、先端部６７ａと支持部６８とによって挟持されて）
いれば、作業台カバー５０が適切な被せ状態で被せられていると簡単に判断できる。この
装着状態においては、締着バンド６０が、上端突出部４１ａおよびアーム側接続部４３の
下方に位置した状態で締め付けられているので、例えば走行中に作業台カバー５０がめく
れ上がることがない。
【００３１】
一方、バックル６５に対する締付マーク６４の位置を確認したときに、締付マーク６４
がバックル６５から外れて位置していれば、作業台カバー５０の被せ状態が適切ではない
と簡単に判断できる。このように、締付マーク６４がバックル６５から外れて位置する被
せ状態の一例を、図７および図８に示している。但し図８（ａ）には、参照用として適切
な被せ状態を示している。図７は一部の周縁部５３がめくれ上がったままで、締着ベルト
６０が締め付けられた状態を示している。この場合、例えばバックル６５に対して締付マ
ーク６４が他端部６３の引き出し側にずれて位置する。
【００３２】
図８（ａ）は、作業台カバー５０が適切な被せ状態で被せられて、締着バンド６０が締
め付けられた場合を示している。この場合、バックル６５近傍に締付マーク６４が位置す
る。この図８（ａ）に対して図８（ｂ）は、上端突出部４１ａには周縁部５３が被せられ
ているものの、アーム側接続部４３には上下方向に半分程度しか周縁部５３が被せられて
いない状態で、締着バンド６０が締め付けられた場合を示している。この場合、作業台４
０への締着バンド６０の巻き付け長さは、図８（ａ）の場合よりも長くなるため、バック
ル６５に対して締付マーク６４が引き出し側とは反対側にずれて位置する。また、図８（
ｃ）は、上端突出部４１ａには周縁部５３が被せられているものの、アーム側接続部４３
には周縁部５３が被せられていない状態で、締着バンド６０が締め付けられた場合を示し
ている。この場合、作業台４０への締着バンド６０の巻き付け長さは、図８（ａ）の場合
よりも短くなるため、バックル６５に対して締付マーク６４が引き出し側にずれて位置す
る。なお、図８（ｃ）の場合には、作業台４０上面（上部開口部４２）が一部露出してい
るため、このことからも作業台カバー５０の被せ状態が適切でないと判断できる。
【００３３】
図７、図８（ｂ）および図８（ｃ）のように、バックル６５に対する締付マーク６４の
位置に基づいて、作業台カバー５０の被せ状態が適切でないと判断された場合、このまま
では作業台４０内に塵等が入り込んだり、走行時に作業台カバー５０がめくれ上がる虞が
ある。このため、これらの場合には、例えば一旦締着バンド６０を緩めて作業台カバー５
０を適切な被せ状態となるように修正した上で、再度締着バンド６０を締め付ける。この
ようにして、締着バンド６０を締め付けたときにバックル６５近傍に締付マーク６４が位
置するように装着状態の修正を行うことで、塵等が入り込んだり、走行時にめくれ上がる
ことを防止できる。以上のように、本発明に係る作業台カバー５０は、締着バンド６０を
締め付けたときのバックル６５に対する締付マーク６４の位置を確認すれば、作業台４０
への装着状態を簡単に且つ的確に把握できる。また、例えば作業台４０の下面にバンドを
巻き付ける等の必要がないため、作業者が一人で容易に作業台カバー５０を作業台４０に
装着することができる。
【００３４】
また、作業台カバー５０は、格納時に前方に位置するアーム側接続部４３を包み込むよ
うに大きな引っ掛かり代でカバー本体５１（周縁部５３）が被せられて、作業台４０に装
着される。このため、仮に走行中に締着バンド６０が緩んでも、周縁部５３がアーム側接
続部４３に引っ掛かって作業台４０から作業台カバー５０が外れるのを防止できる。また
、上端突出部４１ａおよびアーム側接続部４３の形状に合わせてカバー本体５１（周縁部
５３）が形成されているので、作業台カバー５０を作業台４０に被せるときの作業台カバ
ー５０の正しい被せ方向を容易に把握でき、装着作業が容易になる。
【００３５】
上述の実施形態では、アーム３０の先端部に首振り自在に設けられた作業台４０に作業
台カバー５０を装着する例を説明したが、本発明に係る作業台カバー５０は、この作業台
４０に限定して装着されるものではない。例えば図９〜図１２に示すように、旋回ベース
１３０を介して垂直ポスト部材１６（図１１および図１２（ｂ）参照）に旋回自在に取り
付けられた作業台１４０にも、作業台５０を装着することが可能である。以下においては
、作業台１４０の構成、および作業台１４０への作業台カバー５０の装着手順について説
明する。なお、高所作業車１と同一部材には同一番号を付してその説明を省略する。また
、図９〜図１１には、作業台１４０に作業台カバー５０を装着したときの締着バンド６０
を太い実線で示している。
【００３６】
作業台１４０は、図１２に示すように、上部に上部開口部１４２を有する作業台本体１
４１と、旋回ベース１３０側の上部に設けられた操作装置１４３とを備えて構成される。
作業台本体１４１の上端周縁部には、外方に向けて突出する上端突出部１４１ａが形成さ
れている。また、作業台本体１４１の内部には、垂直ポスト部材１６に対して作業台１４
０を水平旋回させる油圧式の作業台旋回モータ１４４が配設されている。
【００３７】
このように構成される作業台１４０に作業台カバー５０を装着するときには、まず、上
部開口部１４２に上面部５２を被せるとともに、上端突出部１４１ａおよび操作装置１４
３に周縁部５３を被せ、作業台カバー５０を適切な被せ状態で作業台１４０に被せる。こ
れにより、締着バンド６０を上端突出部１４１ａおよび操作装置１４３の下方に位置させ
る。次に、締着バンド６０を締め付けて、作業台カバー５０がめくれ上がらないように作
業台１４０に装着される。
【００３８】
上述の実施形態では、締付マーク６４を、バンド本体６１における他の部分とは色を異
ならせて視認可能に形成する例を説明したが、この例以外にも、例えばバンド本体６１に
おける他の部分とはバンド幅を異ならせて視認可能に形成しても良い。
【００３９】
上述の実施形態では、カバー本体５１に縫いつけられたバンド通し５４に締着バンド６
０を通す構成について説明したが、例えばバンド通し５４を設けることなくカバー本体を
構成することも可能である。この構成の場合には、まず作業台４０にカバー本体を被せて
おき、次にこのカバー本体の周縁に締着バンド６０を巻き付けてカバー本体を作業台４０
に締着させる。
【００４０】
上述の実施形態では、バックル６５を用いて締着バンド６０の他端部６３を挟持して掛
止する構成を説明したが、締着バンド６０の他端部６３を掛止する構成はこれに限定され
ない。例えば締着バンド６０の他端部６３に、ハンド本体６１が延びる方向に所定間隔を
おいて複数の掛止穴を設けておき、この掛止穴に掛止ピンを通して掛止する構成にしても
良い。
【符号の説明】
【００４１】
１      高所作業車
４      車体
１２    ブーム（昇降機構）
４０    作業台
４１ａ  上端突出部（上縁周囲部、反対側先端部）
４２    上部開口部
４３    アーム側接続部（上縁周囲部、接続基端部）
５０    作業台カバー
５１    カバー本体（カバー本体部材）
６１    バンド本体（バンド部材）
６４    締付マーク
６５    バックル（掛止部材）
【図１】
2014105085.tif 000003
【図２】
2014105085.tif 000004
【図３】
2014105085.tif 000005
【図４】
2014105085.tif 000006
【図５】
2014105085.tif 000007
【図６】
2014105085.tif 000008
【図７】
2014105085.tif 000009
【図８】
2014105085.tif 000010
【図９】
2014105085.tif 000011
【図１０】
2014105085.tif 000012
【図１１】
2014105085.tif 000013
【図１２】
2014105085.tif 000014